(57)【要約】【課題】原稿の領域と原稿の外方領域とを含む画像データを得たいというユーザーと原稿の外方領域を含まない画像データを得たいというユーザーのいずれの要望も満たす。【解決手段】搬送手段５７によって搬送される原稿を読み取る読取手段４５，６９と、前記読取手段で読み取った原稿の画像データを取得する画像データ取得手段３０１とを有する読取装置において、前記画像データ取得手段は、前記原稿の領域と該原稿の領域以外の外方領域とを含む画像データを取得する第一モードと、前記外方領域を含まない領域の画像データを取得する第二モードとを含む複数のモードの中から、所定の選択条件に従って選択されるモードで、画像データを取得する。【選択図】図６
2019033413.tif 000002
【特許請求の範囲】
【請求項１】
搬送手段によって搬送される原稿を読み取る読取手段と、
前記読取手段で読み取った原稿の画像データを取得する画像データ取得手段とを有する読取装置において、
前記画像データ取得手段は、前記原稿の領域と該原稿の領域以外の外方領域とを含む画像データを取得する第一モードと、前記外方領域を含まない領域の画像データを取得する第二モードとを含む複数のモードの中から、所定の選択条件に従って選択されるモードで、画像データを取得することを特徴とする読取装置。
【請求項２】
請求項１に記載の読取装置において、
モードを選択する選択手段を有し、
前記画像データ取得手段は、前記第一モードと前記第二モードのうち、前記選択手段によりユーザーが選択したモードで画像データを取得することを特徴とする読取装置。
【請求項３】
請求項２に記載の読取装置において、
前記第一モードはカードの原稿を読取るためのカード読取モードであることを特徴とする読取装置。
【請求項４】
請求項２に記載の読取装置において、
前記第一モードは原稿及び原稿の余白部分を読み取るための余白取得モードであることを特徴とする読取装置。
【請求項５】
請求項２に記載の読取装置において、
前記第一モードは所定の厚さ以上の原稿を読み取るための厚紙読取モードであることを特徴とする読取装置。
【請求項６】
請求項２に記載の読取装置において、
前記第一モードは所定のサイズ以下の原稿を読取るための小サイズ原稿読取モードであることを特徴とする読取装置。
【請求項７】
請求項１に記載の読取装置において、
原稿の種類を判別する判別手段を有し、
前記画像データ取得手段は、前記第一モードと前記第二モードのうち、前記判別手段の判別結果に対応したモードで画像データを取得することを特徴とする読取装置。
【請求項８】
請求項７に記載の読取装置において、
前記判別手段は、原稿の厚みを検知する厚み検知手段であり、
前記画像データ取得手段は、前記厚み検知手段が厚みを検知した原稿が所定厚さ以上であるときに前記第一モードで画像データを取得することを特徴とする読取装置。
【請求項９】
請求項７に記載の読取装置において、
前記判別手段は、原稿のサイズを検知するサイズ検知手段であり、
前記画像データ取得手段は、前記サイズ検知手段がサイズを検知した原稿が所定サイズ以下であるときに前記第一モードで画像データを取得することを特徴とする読取装置。
【請求項１０】
請求項９に記載の読取装置において、
前記搬送手段によって搬送される原稿のうち前記所定サイズを超える原稿のセットが規制された第一セット部と、
前記所定サイズを超える原稿をセット可能な第二セット部とを有し、
前記サイズ検知手段は、前記搬送手段によって搬送される原稿が前記第一セット部にセットされたものであるときには該原稿のサイズが前記所定サイズ以下であると検知し、前記搬送手段によって搬送される原稿が前記第二セット部にセットされたものであるときには該原稿のサイズが前記所定サイズを超えていると検知することを特徴とする読取装置。
【請求項１１】
請求項１乃至１０のいずれか１項に記載の読取装置において、
前記読取手段の読取位置から所定の排出部までの原稿の搬送通路部分は、略直線状に延びており、
前記読取位置から搬送方向上流側へ前記搬送通路部分を直線状に延ばした搬送通路部分の先に、原稿がセットされるセット部が設けられていることを特徴とする読取装置。
【請求項１２】
請求項１乃至１０のいずれか１項に記載の読取装置において、
所定のセット部から前記読取手段の読取位置までの原稿の搬送通路部分は、略直線状に延びており、
前記読取位置から搬送方向下流側へ前記搬送通路部分を直線状に延ばした搬送通路部分の先に、原稿の排出部が設けられていることを特徴とする読取装置。
【請求項１３】
請求項１乃至１２のいずれか１項に記載の読取装置において、
前記画像データ取得手段は、前記第二モードにおいて、前記原稿の領域と前記外方領域との境界よりも所定距離だけ内側の領域の画像データを取得することを特徴とする読取装置。
【請求項１４】
原稿を読み取る読取装置と、
前記読取装置で読み取った原稿の画像データに基づいて画像を形成する画像形成部とを有する画像形成装置において、
前記読取装置として、請求項１乃至１３のいずれか１項に記載の読取装置を用いることを特徴とする画像形成装置。
【発明の詳細な説明】
【技術分野】
【０００１】
本発明は、読取装置及び画像形成装置に関するものである。
【背景技術】
【０００２】
従来、搬送手段によって搬送される原稿を読み取る読取手段と、読取手段で読み取った原稿の画像データを取得する画像データ取得手段とを有する読取装置が知られている。
【０００３】
例えば、特許文献１には、自動原稿給送装置によって搬送される原稿が読取手段の読取位置を通過する間に原稿を読取手段で読み取る読取装置が開示されている。この読取装置は、紙検知センサにより原稿の先端及び終端を検出し、原稿の先端が読取位置よりも所定の距離手前の地点を通過する時点から読み取りを開始し、原稿の終端が読取位置を通過した後も一定距離を原稿が搬送されるまで読み取りを継続してから読み取りを終了する。そして、読取手段が読み取った読取データから、原稿面に対応する原稿候補領域を抽出し、抽出された原稿候補領域を最終的な画像データとして取得する。
【発明の概要】
【発明が解決しようとする課題】
【０００４】
前記特許文献１に記載された読取装置では、原稿の領域以外の外方領域を含まない原稿の画像データを取得することが可能であり、そのような画像データを得たいユーザーの要望を満たすことが可能である。しかしながら、ユーザーの中には、原稿の領域とその外方領域とを含んだ画像データを得たいユーザーも存在するので、前記特許文献１に記載された読取装置では、このようなユーザーの要望に応えることはできない。一方、従来の読取装置には、原稿の領域とその外方領域とを含んだ画像データを得ることのできるものが存在するが、この従来の読取載置では、外方領域を含まない原稿の画像データを得たいユーザーの要望に応えることはできない。
【課題を解決するための手段】
【０００５】
上述した課題を解決するために、本発明は、搬送手段によって搬送される原稿を読み取る読取手段と、前記読取手段で読み取った原稿の画像データを取得する画像データ取得手段とを有する読取装置において、前記画像データ取得手段は、前記原稿の領域と該原稿の領域以外の外方領域とを含む画像データを取得する第一モードと、前記外方領域を含まない領域の画像データを取得する第二モードとを含む複数のモードの中から、所定の選択条件に従って選択されるモードで、画像データを取得することを特徴とする。
【発明の効果】
【０００６】
本発明によれば、原稿の領域とその外方領域とを含む画像データを得たいというユーザーと外方領域を含まない画像データを得たいというユーザーのいずれの要望も満たすことが可能となる。
【図面の簡単な説明】
【０００７】
【図１】実施形態１に係る複写機を示す斜視図である。
【図２】同複写機における読取装置の構成を示す説明図である。
【図３】同読取装置の平面図である。
【図４】同読取装置の模式図である。
【図５】（ａ）は、手差しトレイを閉じた状態で挿入口からカードの先端を挿入してセットした状態を示す読取装置の斜視図である。（ｂ）〜（ｄ）は、手差しトレイを開いた状態で使用される読取装置の斜視図である。
【図６】同複写機の動作制御や画像処理を実行する制御系の主要部を示すブロック図である。
【図７】同複写機の手差しトレイ又は挿入口にカードをセットしてコピー（複写）する場合の処理動作の流れを示すフローチャートである。
【図８】（ａ）は、搬送中のカードにスキューが発生した様子を示す説明図である。（ｂ）は、カードの縁部の一部分（カード四隅付近）が第一読取ユニットで読み取られるエリアＥから外れることを示す説明図である。（ｃ）は、カードの縁部の一部分が欠落した画像が記録紙上に形成された様子を示す説明図である。
【図９】（ａ）は、搬送中のカードにスキューが発生した様子を示す説明図である。（ｂ）は、カードの縁部が第一読取ユニットで読み取られるエリアＥから外れないことを示す説明図である。（ｃ）は、欠落が発生していない画像が記録紙上に形成された様子を示す説明図である。
【図１０】実施形態２における複写機の読取装置を示す模式図である。
【図１１】同複写機の動作制御や画像処理を実行する制御系の主要部を示すブロック図である。
【図１２】（ａ）及び（ｂ）は、同複写機の原稿厚みセンサの一例を示す説明図である。
【図１３】実施形態２において、手差しトレイ又は挿入口にカードをセットしてコピー（複写）する場合の処理動作の流れを示すフローチャートである。
【図１４】同複写機に適用可能な原稿幅検知センサの一例を示す説明図である。
【図１５】同複写機における手差しトレイを閉じた状態にしたときのカード挿入用の挿入口５ｂを示す正面図である。
【図１６】変形例における読取装置の模式図である。
【図１７】変形例において、カードをコピー（複写）する場合の処理動作の流れを示すフローチャートである。
【発明を実施するための形態】
【０００８】
〔実施形態１〕
以下、本発明の一実施形態（以下、本実施形態を「実施形態１」という。）について説明する。
図１は、本実施形態１に係る画像形成装置である複写機１を示す斜視図である。
本実施形態１の複写機１は、主に、画像形成部３と、画像読取部４と、自動原稿搬送装置（以下、単に「ＡＤＦ」とも称する。）５とから構成されている。本実施形態１の読取装置６は、主に、画像読取部４とＡＤＦ５とから構成されている。
【０００９】
本実施形態１の画像形成部３は、例えば、潜像形成手段としての露光ユニットと、複数の潜像担持体としての感光体ドラムと、シアン（Ｃ）、マゼンタ（Ｍ）、イエロー（Ｙ）、ブラック（Ｋ）の４色のトナーを用いる現像装置と、中間転写部と、二次転写部と、定着部などを備えた電子写真方式の画像形成装置である。なお、インクジェット方式などの他の方式の画像形成装置であってもよい。
【００１０】
画像形成部３は、読取装置６の画像読み取りによって得られる画像データや、パソコン等の外部装置から送信される画像データに基づき、例えば、露光ユニットによって各色の感光体ドラムを露光して各感光体ドラム上に静電潜像を形成し、各色の現像装置で各感光体ドラム上の潜像にトナーを供給して現像する。また、画像形成部３は、各色の感光体ドラム上のトナー像を中間転写部の中間転写ベルトに互いが重なるように一次転写した後、二次転写部で記録材である記録紙上に二次転写し、定着部で記録紙上のトナー像を加熱及び加圧して定着させ、カラー画像を形成する。
【００１１】
図２は、本実施形態１の読取装置６の構成を示す説明図である。
読取装置６は、搬送中の原稿（原稿）の画像を読み取るＤＦスキャナモード（搬送原稿読取モード）と、平坦なコンタクトガラス上に載置された原稿の原稿面の画像を読み取るフラットベッドスキャナモード（載置原稿読取モード）とで、動作可能に構成されている。
【００１２】
フラットベッドスキャナモードにおいて、画像読取部４は、フラットベッドコンタクトガラス４１上の原稿（原稿シート、厚紙、本等）の原稿面（被読取面）に光を照射して、その原稿面からの反射光を画像信号に変換することにより原稿画像を読み取ることができる。
【００１３】
また、ＤＦスキャナモードにおいて、ＡＤＦ５は、セット部である原稿トレイ５１上に積載された原稿シート束から原稿シートを１枚ずつ分離して原稿搬送通路５２内に搬入し、原稿搬送通路５２に沿って搬送する。そして、その搬送中、原稿シートの原稿面（原稿トレイ５１上で上側の面）が、その搬送方向の上流側部分から順次部分的に画像読取部４におけるＤＦコンタクトガラス４２Ａ，４２Ｂに対面するようになっている。すなわち、読取装置６は、ＡＤＦ５により搬送される原稿シート上の画像を画像読取部４のＤＦコンタクトガラス４２Ａ，４２Ｂ上で順次読み取ることにより、ＤＦスキャナとして動作できるようになっている。
【００１４】
なお、ＡＤＦ５は、装置本体１Ｍの後部（背面側の部分）にヒンジ等の開閉機構を介して取り付けられている。そして、ＡＤＦ５は、装置本体１Ｍに対してフラットベッドコンタクトガラス４１上を開放する開位置と、フラットベッドコンタクトガラス４１上の原稿を押し付け可能な閉位置とを採り得るようになっている。
【００１５】
図３は、読取装置６の平面図である。
原稿トレイ５１には、ＡＤＦ５にセットされた原稿シートＳをその給紙方向と直交するシート幅方向で位置決めする左右一対の可動のサイドガイド板５４が設けられている。これらサイドガイド板５４は、原稿トレイ５１と原稿シートＳの幅方向の中心とを一致させたまま相対的に接近・離間可能である。ただし、サイドガイド板５４は、原稿トレイ５１の一方の縁部側に原稿シートＳの一方の縁部を当接させて他方の縁部側のみを移動可能に配置したものでもよい。
【００１６】
図２に示すように、ＡＤＦ５は、少なくともその上方を開閉可能としたカバー５５によって覆われている。カバー５５は、原稿シートＳの先端がそのカバー内に入るように原稿トレイ５１の給紙側の端部付近の上方に給紙口５５ａを形成している。また、カバー５５は、給紙口５５ａよりも内部に原稿トレイ５１の先端部分が収納されるように、原稿トレイ５１の先端部分の上方を覆っている。また、ＡＤＦ５は、給紙口５５ａから排出口５６までの原稿搬送通路５２を形成する主要なガイド部分を、カバー５５等に形成されたリブ等によって形成している。
【００１７】
フラットベッドコンタクトガラス４１は、読取装置６がフラットベッドスキャナとして動作する場合であって原稿シートが載置されるとき、その原稿シートの下面（被読取面）に対面するようになっている。また、第一ＤＦコンタクトガラス４２Ａは、読取装置６がＤＦスキャナとして動作する場合には、原稿搬送通路５２の所定の読取位置を通過する原稿シートの下面（被読取面）に対面するようになっている。さらに、第一ＤＦコンタクトガラス４２Ａは、フラットベッドコンタクトガラス４１に対して予め設定された傾斜角をなすよう傾斜している。また、第二ＤＦコンタクトガラス４２Ｂは、読取装置６がＤＦスキャナとして動作する場合には、原稿搬送通路５２の所定の読取位置を通過する原稿シートの上面（被読取面）に対面するようになっている。
【００１８】
画像読取部４の内部には、読取手段としての第一読取ユニット４５と、図２中の左右方向に延びるガイドロッド４６とが設けられている。第一読取ユニット４５は、一体型光学走査ユニット４７と、一体型光学走査ユニット４７を保持するブラケット４８と、一体型光学走査ユニット４７とブラケット４８との間に圧縮状態で組み込まれた複数の圧縮コイルばね４９（弾性部材）とで構成されている。
【００１９】
一体型光学走査ユニット４７は、例えばモールドフレームに、等倍結像素子ルーフミラーレンズアレイ、光路分離ミラー、等倍イメージセンサ、照明光源等を保持させた密着イメージセンサとして構成されている。この一体型光学走査ユニット４７は、画像を主走査方向に高解像でライン走査することができ、ブック原稿等の画像読取りにも対応可能な大きな焦点深度を有するように構成されている。なお、一体型光学走査ユニット４７は、ＤＦスキャナとフラットベッドスキャナに対応できる構成であれば、特定の方式に限定されるものではない。主走査方向は、フラットベッドコンタクトガラス４１の上面及び第一ＤＦコンタクトガラス４２Ａの上面の双方に対して平行な方向（図２中の紙面垂直方向、図３中の上下方向）である。
【００２０】
一体型光学走査ユニット４７は、また、ブラケット４８の下方側に配置されたガイドロッド４６によって副走査方向に移動自在に案内される。そして、その副走査方向の位置に応じて、一体型光学走査ユニット４７は、その上部でフラットベッドコンタクトガラス４１及び第一ＤＦコンタクトガラス４２Ａのうちのいずれか一方または両方にスライド可能に当接する。これにより、第一読取ユニット４５は、ガイドロッド４６に沿って移動自在であるものの、ガイドロッド４６の軸回りの傾きを規制される。
【００２１】
この第一読取ユニット４５は、フラットベッドコンタクトガラス４１上の原稿シートの被読取面を主走査方向にライン走査するとともに副走査方向に移動することで、原稿シートの画像を読み取ることができる。また、第一読取ユニット４５は、第一ＤＦコンタクトガラス４２Ａ上を通過する原稿シートの画像を主走査方向にライン走査することで、原稿シートの画像を読み取ることができる。
【００２２】
なお、画像読取部４の内部には、無端のループ状でその周方向の一箇所に第一読取ユニット４５のブラケット４８が固定されたタイミングベルトが設けられている。また、画像読取部４の内部には、タイミングベルトが弛みなく掛け渡された複数のタイミングプーリと、いずれか１つのタイミングプーリを回転駆動するモータ等が設けられている。
【００２３】
フラットベッドスキャナモードの読取動作を行う場合、第一読取ユニット４５は、ホームポジションから副走査方向一方側に移動しながら、例えば図２に実線で示す停止位置付近のホームポジションから同図中の右側に移動する。そして、その微小移動距離毎に一体型光学走査ユニット４７によるライン走査を実行して、フラットベッドコンタクトガラス４１上の原稿シートの被読取面（下面）の画像を読み取る。また、その読取動作が終了すると、第一読取ユニット４５は、再度ホームポジションに戻る。
【００２４】
ＤＦスキャナモードの読取動作を行う場合、第一読取ユニット４５は、図２に実線で示すホームポジション（第一ＤＦコンタクトガラス４２Ａの下方）で、第一ＤＦコンタクトガラス４２Ａ上を通過する原稿シートの被読取面（下面）の画像を読み取る。
【００２５】
第一読取ユニット４５は、フラットベッドコンタクトガラス４１の下方側と第一ＤＦコンタクトガラス４２Ａの下方側とに位置し得るよう副走査方向に移動可能である。そして、一体型光学走査ユニット４７は、その副走査方向位置に応じて、フラットベッドコンタクトガラス４１を通して画像読取可能な水平の第一読取姿勢と、第一ＤＦコンタクトガラス４２Ａを通して画像読取り可能な傾斜した第二読取姿勢とに姿勢変化する。
【００２６】
ＡＤＦ５には、画像読取後の原稿シートをスタックする排出部としての排紙トレイ５３が設けられている。原稿トレイ５１と排紙トレイ５３とは、小型化を目的として、少なくともそれらの一部が離間する状態で上下に重ねて配置されている。
【００２７】
次に、ＤＦスキャンにおける原稿搬送通路５２について説明する。
ＡＤＦ５は、原稿トレイ５１に載置された原稿シート束から最上位の原稿シートＳを１枚ずつ分離して原稿搬送通路５２内に搬入するピックアップローラ５２ａと分離ローラ５２ｂとを有している。また、ＡＤＦ５は、分離・搬入された原稿シートＳを、その上面が下側を向くように反転させ、ＤＦコンタクトガラス４２Ａの上面を通過するように、原稿搬送通路５２内を搬送する。原稿搬送通路５２には、複数の搬送ローラ対（プルアップローラ対５２ｃ、読取入口ローラ対５２ｄ）が配置され、また、これらの搬送ローラ対よりも搬送方向下流側にも、複数の搬送ローラ対（読取出口ローラ対５２ｅ、排紙ローラ対５２ｆ）が配置されている。なお、これらローラ対の配置数や配置場所は、原稿搬送通路５２の経路設定条件や、原稿シートＳの最小サイズに係る搬送方向長さ等に応じて任意に設定可能である。
【００２８】
第一読取ユニット４５は、一体型光学走査ユニット４７が図２の実線位置に位置するとき、搬送中の原稿シートＳの画像を一体型光学走査ユニット４７により読取位置で繰り返しライン走査して、原稿画像を読み取ることができる。そして、その画像読取り後の原稿シートＳは、搬送ローラ対５２ｅ，５２ｆにより排紙トレイ５３に排出される。
【００２９】
これらピックアップローラ５２ａ、分離ローラ５２ｂ、複数の搬送ローラ対５２ｃ，５２ｄ，５２ｅ，５２ｆは、これらを駆動する駆動モータ、原稿搬送通路５２上に配置された複数のセンサ、これらのセンサの検知情報を基に搬送制御を実行する後述のコントローラとともに、搬送手段を構成している。搬送手段は、原稿シートを原稿トレイ５１上から原稿搬送通路５２内へ搬入するとともに、その原稿シートが読取位置を通過するように搬送し、排紙トレイ５３上に排紙する。
【００３０】
図４は、読取装置６の模式図である。
ＡＤＦ５内には、例えば、原稿セットセンサ１００、フィード後センサ１０１、読取入口センサ（レジストセンサ）１０２、手差し原稿セットセンサ１０３等が配置されている。これらのセンサは、原稿トレイ５１上の原稿シートＳを搬送する搬送方向の上流側から順に配置されている。通常の原稿シートＳは、普通紙（コピー紙）などの屈曲容易なシートであり、このような屈曲容易なシートからなる原稿シートが原稿トレイ５１上にセットされる。
【００３１】
原稿搬送通路５２は、第一ＤＦコンタクトガラス４２Ａの搬送方向上流側に位置する読取入口ローラ対５２ｄのニップ位置から排出口５６に至るまでの搬送通路部分が、ＤＦコンタクトガラス４２Ａ，４２Ｂに沿って略直線状に延びるストレート搬送通路６１を構成している。ストレート搬送通路６１は、原稿トレイ５１から複数の搬送ローラ対５２ｃ，５２ｄによって搬送されてきた原稿シートを、第一ＤＦコンタクトガラス４２Ａの上面（第一読取位置）及び第二ＤＦコンタクトガラス４２Ｂの下面（第二読取位置）に沿って搬送する。
【００３２】
また、ストレート搬送通路６１は、手差しトレイ５ａから搬入される原稿シートを、第一ＤＦコンタクトガラス４２Ａの上面（第一読取位置）及び第二ＤＦコンタクトガラス４２Ｂの下面（第二読取位置）に沿って搬送する場合にも用いられる。具体的には、図２中に仮想線で示すように開いた状態の手差しトレイ５ａ上にセットされる手差しの原稿シートや、閉じた状態の手差しトレイ５ａに形成されているカード挿入用の挿入口５ｂにセットされる手差しの原稿シートを、略直線状に、第一ＤＦコンタクトガラス４２Ａの上面（第一読取位置）及び第二ＤＦコンタクトガラス４２Ｂの下面（第二読取位置）に沿って搬送する場合にも用いられる。
【００３３】
図５（ａ）は、手差しトレイ５ａを閉じた状態で手差しトレイ５ａに形成された挿入口５ｂから原稿としてのカードＣの先端を挿入してセットした状態を示す読取装置６の斜視図である。図５（ｂ）〜（ｄ）は、手差しトレイ５ａを開いた状態で使用される読取装置６の斜視図である。
図５（ｂ）〜（ｄ）に示すように、開いた状態の手差しトレイ５ａの上面には、シート幅方向の中心を一致させたまま相対的に接近・離間可能なサイドガイド対５ｃが設けられている。図５（ｂ）は、サイドガイド対５ｃの間隔を狭めた状態を示し、図５（ｃ）は、サイドガイド対５ｃを拡げた状態を示している。また、図５（ｄ）は、開いた状態の手差しトレイ５ａの上面に原稿シートＳをセットした状態を示す。
【００３４】
カードＣは、通常の原稿シートＳよりも高い曲げ剛性を有するハードシート、特に小サイズのハードシートであり、第一ＤＦコンタクトガラス４２Ａの上面及び第二ＤＦコンタクトガラス４２Ｂの下面と平行をなすように傾斜したストレート搬送通路６１に沿って搬送される。ここにいう小サイズのハードシートとは、樹脂あるいは厚紙等で形成された標準定型サイズのカード類、例えば運転免許証、ＩＤカード（身分証明書カード）、銀行等のキャッシュカード、クレジットカード、交通系等の電子マネーカードなどが上げられる。したがって、ここでいう小サイズとは、例えば身分証明書カードの形状を定めた国際規格であるＩＳＯ／ＩＥＣ  ７８１０のＩＤ−１、ＩＤ−２またはＩＤ−３のいずれか、またはそれと同程度のカードサイズである。ただし、そのカードサイズの短手方向の長さは、原稿トレイ５１上にセットされる標準のカットシートサイズのうち最小サイズのカットシートの短手方向長さよりも小さくなるように設定される。
【００３５】
以下、このようなカードＣの原稿と普通紙（コピー紙）などの一般的な原稿とを区別するため、原稿シートＳというときは、カードＣとは異なる普通紙（コピー紙）などの一般的な原稿を指すものとする。
【００３６】
挿入口５ｂあるいは手差しトレイ５ａ上にセットされたカードＣや原稿シートＳが搬送される搬送通路は、ＤＦコンタクトガラス４２Ａ，４２Ｂ上に至るまでの通路部分が略直線状に延びており、更に排出口５６まで連続して略直線状に延びてストレート搬送通路６１となっている。ストレート搬送通路６１は、読取入口ローラ対５２ｄの入り口近傍で原稿トレイ５１から搬送されてくるターン搬送通路６２と合流する。
【００３７】
原稿トレイ５１にセットした原稿シートＳの画像を読み取る場合、図４に示すように、原稿トレイ５１に原稿シートＳをセットした後、操作パネルに設けられたスタートボタン２０１（図１参照）を押下することで、原稿トレイ５１上の最上位の原稿シートＳから順に原稿搬送通路５２へ原稿シートＳが繰り出される。そして、原稿シートＳは、給紙口５５ａから図中一点鎖線で示すターン搬送通路６２に沿って折り返されるようにターン搬送され、読取入口ローラ対５２ｄに至る。その後、原稿シートＳは、第一ＤＦコンタクトガラス４２Ａの上面を通過する際に、第一読取ユニット４５により被読取面の画像が読み取られる。更に原稿シートＳの他方の面の画像も読み取る場合には、原稿シートＳが第二読取ユニット６９の読取位置（第二読取位置）を通過する際に、第二読取ユニット６９によって当該他方の面（被読取面）の画像が読み取られる。このようにして画像を読み取った後の原稿シートＳは、読取出口ローラ対５２ｅ及び排紙ローラ対５２ｆによって排出口５６から排紙トレイ５３に向けて排出される。
【００３８】
一方、挿入口５ｂあるいは手差しトレイ５ａを用いる場合、その原稿の搬送通路は、ストレート搬送通路６１であるため、原稿を湾曲させることなく搬送することができるので、湾曲させることを避けたい原稿や、湾曲させることが困難な原稿についても、その画像読み取りが可能である。具体的には、原稿トレイ５１にセットされる原稿について設定されている最小サイズの原稿（例えば葉書サイズ）よりも小さい原稿、特に上述したカードＣのようなハードシートの画像読み取りが可能である。また、ストレート搬送通路６１上の各搬送ローラ対５２ｄ，５２ｅ，５２ｆの搬送方向間隔は、カードＣの縦サイズ（又は横サイズ）以下となるように設定されている。
【００３９】
カードＣの画像を読み取る場合、まず、手差しトレイ５ａを開いてその上面にカードＣをセットするか、又は、手差しトレイ５ａを閉じた状態にして挿入口５ｂにカードＣをセットする。この状態で、操作パネルに設けられたスタートボタン２０１を押下すると、カードＣがストレート搬送通路６１へと繰り出される。そして、第一ＤＦコンタクトガラス４２Ａの上面を通過する際に、第一読取ユニット４５により被読取面の画像が読み取られる。更にカードＣの他方の面の画像も読み取る場合には、カードＣが第二読取ユニット６９の読取位置（第二読取位置）を通過する際に、第二読取ユニット６９によって当該他方の面（被読取面）の画像が読み取られる。このようにして画像を読み取った後のカードＣは、読取出口ローラ対５２ｅ及び排紙ローラ対５２ｆによって排出口５６から排紙トレイ５３に向けて排出される。
【００４０】
図６は、複写機１の動作制御や画像処理を実行する制御系の主要部を示すブロック図である。
本実施形態１の複写機１における読取装置６の制御や処理は、主にコントローラ３００によって実行される。コントローラ３００は、ＣＰＵ（Central Processing Unit）、ＲＯＭ（Read Only Memory）、ＲＡＭ（Random Access Memory）などから構成される。ＣＰＵは、ＲＯＭ等に記憶されているプログラムを実行することにより、例えば、読取装置６の各部の動作を制御して原稿シートＳやカードＣの画像データを取得する画像データ取得手段としての画像データ取得部３０１として機能する。ＲＡＭは、ＣＰＵのワークエリアとして使用される。
【００４１】
画像データ取得部３０１は、原稿セットセンサ１００、フィード後センサ１０１、読取入口センサ１０２、手差し原稿セットセンサ１０３などの搬送用センサの検知結果に基づき、ピックアップローラ５２ａや分離ローラ５２ｂ、各種搬送ローラ対５２ｃ，５２ｄ，５２ｅ，５２ｆを駆動する駆動モータ５７等を制御して、原稿シートＳやカードＣの搬送制御を実行する。また、画像データ取得部３０１は、第一読取ユニット４５の動作制御、例えば一体型光学走査ユニット４７の移動制御、一体型光学走査ユニット４７の読取動作などを制御する。また、画像データ取得部３０１は、第二読取ユニット６９の読取動作などの制御を行う。
【００４２】
更に、画像データ取得部３０１は、選択手段としての操作パネル２００に対するユーザーの選択操作に応じたモードを実行する。ユーザーの選択操作により第一モードが選択された場合、画像データ取得部３０１は、第一読取ユニット４５及び第二読取ユニット６９を用いて、原稿シートＳやカードＣの領域だけでなくその外方領域も含んだエリアの画像データを取得する処理を実行する。一方、ユーザーの選択操作により第二モードが選択された場合、画像データ取得部３０１は、第一読取ユニット４５及び第二読取ユニット６９を用いて、原稿の外方領域を含まない原稿シートＳやカードＣの画像データを取得する処理を実行する。
【００４３】
画像データ取得部３０１で取得された原稿シートＳやカードＣの画像データは、例えば、画像形成部３の制御部に送られ、画像形成部３において記録紙に画像形成（印刷）される。画像データ取得部３０１で取得された原稿シートＳやカードＣの画像データは、画像形成部３での印刷に用いずに、外部装置へ送信するように処理されてもよい。
【００４４】
図７は、手差しトレイ５ａ又は挿入口５ｂにカードＣをセットしてコピー（複写）する場合の処理動作の流れを示すフローチャートである。
ＡＤＦ５の手差しトレイ５ａ又は挿入口５ｂにカードＣがセットされると、カードＣの先端が読取入口ローラ対５２ｄに突き当たり、手差し原稿セットセンサ１０３がＯＮになってカードＣが検知される（Ｓ１のＹｅｓ）。コントローラ３００によって実現される画像データ取得部３０１は、手差し原稿セットセンサ１０３がＯＮになった後、カードＣが読取入口ローラ対５２ｄに突き当たるまでの時間を確保するために所定時間が経過するのを待ってから、読取入口ローラ対５２ｄの駆動を開始させる（Ｓ２）。そして、予め決められたプレフィード時間が経過したら（Ｓ３のＹｅｓ）、読取入口ローラ対５２ｄの駆動を停止させる（Ｓ４）。これにより、カードＣの先端部分が読取入口ローラ対５２ｄにニップに挟持された状態で保持される。なお、この時点では、カードＣの先端は、読取入口センサ１０２に到達していない。
【００４５】
続いて、画像データ取得部３０１は、モードをユーザーに選択させるモード選択画面を操作パネル２００に表示させる。本実施形態１において、モード選択画面には、第一モードであるカード読取モードとしてのカードコピーモードと第二モードである普通紙コピーモードとを含む複数のモードを選択するためのボタンが表示されている。
【００４６】
普通紙コピーモードは、第一読取ユニット４５及び第二読取ユニット６９を用いて、原稿の外方領域を含まない領域の画像データを取得し、その画像データに基づく画像を記録紙に印刷するモードである。本実施形態１の普通紙コピーモードでは、カードＣの縁部の影による黒スジがカードＣの画像部分の周囲に印刷されてしまうのを避けるために、カードＣの縁部から３〜５ｍｍ程度内側のエリアの画像データを取得する。すなわち、第一読取ユニット４５及び第二読取ユニット６９は、普通紙コピーモードにおいて、原稿の領域と外方領域（余白領域）との境界よりも所定距離（たとえば３〜５ｍｍ程度）だけ内側の領域（エリア）の画像データを取得する。
【００４７】
カードＣの縁部から３〜５ｍｍ程度内側のエリアの画像データを取得する方法は、例えば、第一読取ユニット４５及び第二読取ユニット６９の動作を制御して取得する方法と、第一読取ユニット４５及び第二読取ユニット６９で読み取った読取データを画像処理して取得する方法とが挙げられる。
【００４８】
前者の取得方法は、例えば、カードＣの先端が第一読取ユニット４５及び第二読取ユニット６９の読取位置に到達してから３〜５ｍｍ程度カードＣが搬送されたタイミングで画像読取りを開始し、カードＣの後端があと３〜５ｍｍ程度搬送されたら第一読取ユニット４５及び第二読取ユニット６９の読取位置に到達するというタイミングで画像読取りを終了するように、第一読取ユニット４５及び第二読取ユニット６９を制御する。このとき、読取幅（主走査方向の読取長さ）は、カードＣの主走査方向両端部から３〜５ｍｍ程度内側の位置間を読み取るように設定する。この取得方法によれば、第一読取ユニット４５及び第二読取ユニット６９で読み取った読取データから、トリミング処理などを実施することなく、カードＣの縁部から３〜５ｍｍ程度内側のエリアの画像データを取得することができる。
【００４９】
後者の取得方法は、例えば、カードＣの先端が第一読取ユニット４５及び第二読取ユニット６９の読取位置に到達するタイミングで画像読取りを開始し、カードＣの後端が第一読取ユニット４５及び第二読取ユニット６９の読取位置に到達するタイミングで画像読取りを終了するように、第一読取ユニット４５及び第二読取ユニット６９を制御する。このとき、読取幅（主走査方向の読取長さ）は、カードＣの主走査方向両端部から３〜５ｍｍ程度内側の位置間を読み取るように設定する。そして、第一読取ユニット４５及び第二読取ユニット６９で読み取った読取データの画像縁部から３〜５ｍｍ程度内側のエリアをトリミング処理する。これにより、カードＣの縁部から３〜５ｍｍ程度内側のエリアの画像データを取得することができる。
【００５０】
カードコピーモードは、第一読取ユニット４５及び第二読取ユニット６９を用いて、原稿とその外方領域とを含む画像データを取得し、その画像データに基づく画像を記録紙に印刷するモードである。このカードコピーモードは、保険証や運転免許証などのカードＣをコピーする際、そのカードＣの縁部まで確実にコピーしたいというニーズに応えるためのモードである。
【００５１】
すなわち、カードＣのような小サイズ原稿（原稿）は、狭い原稿面（被読取面）内により多くの情報が収まるように、ほとんど余白を設けることなく原稿面（被読取面）の縁部付近まで情報が記載されているケースが多い。このようなケースでは、上述した普通紙コピーモードのように、原稿の外方領域を含まない領域の画像データを取得すると、原稿の縁部から３〜５ｍｍ程度が欠落してしまうので、欠落した縁部付近の情報がコピーされないという不都合が生じ得る。
【００５２】
また、原稿の縁部から３〜５ｍｍ程度が欠落させず、原稿の領域がちょうど収まる画像データを取得する場合であっても、搬送誤差、読取誤差などの各種誤差によって、取得される画像データから原稿面上の縁部付近の画像が欠落する場合があり、欠落した縁部付近の情報がコピーされないという不都合が生じ得る。特に、本実施形態１では、後述するように、カードＣの搬送方向位置を特定するための基準となる読取入口センサ１０２は、搬送方向に対して直交するシート幅方向の略中央に配置されている。そのため、図８（ａ）に示すように搬送中のカードＣにスキューが発生すると、図８（ｂ）に示すように、カードＣの縁部の一部分（カードＣの四隅付近）が第一読取ユニット４５で読み取られるエリアＥ（図８（ｂ）中の破線で囲んだエリア）から外れてしまう。その結果、図８（ｃ）に示すように、記録紙Ｐ上に形成される画像はカードＣの縁部の一部分が欠落したものとなってしまう。
【００５３】
本実施形態１のカードコピーモードでは、カードＣの縁部から１０ｍｍ程度外側の位置までのエリアの画像データを取得する。なお、本実施形態１では、原稿の外方領域を縁部から１０ｍｍ程度まで画像データに含ませる例であるが、原稿の外方領域を縁部からどの程度まで画像データに含ませるかは、搬送誤差や読取誤差などを考慮して、適宜設定される。カードコピーモードによれば、カードＣとその外方領域とを含む画像データを取得して印刷されるので、カードＣの縁部付近の情報も確実にコピーすることができる。
【００５４】
なお、本実施形態１のカードコピーモードは、カードＣをコピーするケース以外でも、例えばカードＣよりもサイズの大きい原稿シートＳをコピーするケースでも、利用することができる。カードＣに限らず、種々のサイズの原稿シートＳにおいて、その原稿シートＳの縁部の影による黒スジが原稿シートＳの画像部分の周囲にあえて印刷されることで、その印刷物が、パソコンの画像処理ソフトで製造された偽造データではなく、原本からコピーされたものであるという蓋然性が高まる。その結果、原本性に対する信頼が得やすいコピーを行うことができるというメリットが得られる。
【００５５】
操作パネル２００に表示されたモード選択画面に対し、ユーザーがいずれかのコピーモードを選択し（Ｓ５）、コピー開始操作を行うと（Ｓ６）、画像データ取得部３０１は、各搬送ローラ対（読取入口ローラ対５２ｄ、読取出口ローラ対５２ｅ及び排紙ローラ対５２ｆ）の駆動を開始させる（Ｓ７）。これにより、読取入口ローラ対５２ｄのニップに先端部分が挟持されているカードＣがストレート搬送通路６１に沿って搬送される。そして、カードＣの先端が読取入口センサ１０２に到達すると、読取入口センサ１０２がＯＮになる（Ｓ８のＹｅｓ）。画像データ取得部３０１は、読取入口センサ１０２がＯＮになった時点を基準にして、各搬送ローラ対５２ｄ，５２ｅ，５２ｆによるカードＣの搬送速度の情報から、ストレート搬送通路６１内におけるカードＣの先端位置や後端位置を特定する。
【００５６】
画像データ取得部３０１は、前記処理ステップＳ５においてユーザーが普通紙コピーモードを選択した場合（Ｓ９のＮｏ）、読取入口センサ１０２がＯＮになった後、カードＣの先端から５ｍｍ後端側の位置が第一読取ユニット４５の読取位置（第一読取位置）に到達するのに相当する所定時間Ａ１が経過するのを待って（Ｓ１０のＹｅｓ）、第一読取ユニット４５の読取動作を開始する（Ｓ１１）。その後、読取入口センサ１０２がＯＮになってから、カードＣの後端から５ｍｍ先端側の位置が第一読取ユニット４５の読取位置（第一読取位置）に到達するのに相当する所定時間Ａ２が経過した時に（Ｓ１２のＹｅｓ）、第一読取ユニット４５の読取動作を終了する（Ｓ１３）。このとき、画像データ取得部３０１は、読取幅（主走査方向の読取長さ）がカードＣの主走査方向両端部から５ｍｍ内側の位置間を読み取るように、第一読取ユニット４５の読取動作を制御する。
【００５７】
このような読取動作によって、画像データ取得部３０１は、第一読取ユニット４５の読取データから、カードＣの縁部から５ｍｍ内側のエリアの画像データを取得することができる。そして、画像データ取得部３０１は、取得した画像データを画像形成部３の制御部に送り、画像形成部３において記録紙に画像形成（印刷）される（Ｓ１８）。これにより、記録紙には、カードＣの縁部の影による黒スジの無い画像が形成され、高品質なコピーが実現できる。
【００５８】
一方、画像データ取得部３０１は、前記処理ステップＳ５においてユーザーがカードコピーモードを選択した場合（Ｓ９のＹｅｓ）、読取入口センサ１０２がＯＮになった後、カードＣの先端よりも１０ｍｍ前方の位置が第一読取ユニット４５の読取位置（第一読取位置）に到達するのに相当する所定時間Ｂ１が経過するのを待って（Ｓ１４のＹｅｓ）、第一読取ユニット４５の読取動作を開始する（Ｓ１５）。その後、読取入口センサ１０２がＯＮになってから、カードＣの後端から１０ｍｍ後方の位置が第一読取ユニット４５の読取位置（第一読取位置）に到達するのに相当する所定時間Ｂ２が経過した時に（Ｓ１６のＹｅｓ）、第一読取ユニット４５の読取動作を終了する（Ｓ１７）。このとき、画像データ取得部３０１は、読取幅（主走査方向の読取長さ）がカードＣの主走査方向両端部から１０ｍｍ外側の位置間を読み取るように、第一読取ユニット４５の読取動作を制御する。
【００５９】
このような読取動作によって、画像データ取得部３０１は、第一読取ユニット４５の読取データから、カードＣの縁部から１０ｍｍ程度外側のエリアの画像データを取得することができる。そして、画像データ取得部３０１は、取得した画像データを画像形成部３の制御部に送り、画像形成部３において記録紙に画像形成（印刷）される（Ｓ１８）。これにより、記録紙には、カードＣとその外方領域とを含む画像が形成され、カードＣの縁部付近の情報が印刷されたコピーが実現できる。
【００６０】
特に、カードコピーモードを選択すれば、図９（ａ）に示すように搬送中のカードＣにスキューが発生しても、図９（ｂ）に示すように、カードＣの縁部が第一読取ユニット４５で読み取られるエリアＥ（図９（ｂ）中の破線で囲んだエリア）から外れてしまうことがない。その結果、図９（ｃ）に示すように、記録紙Ｐ上に形成される画像は、カードＣの縁部が欠落したものとはならず、カードＣの縁部付近の情報が確実に印刷されたコピーが実現できる。
【００６１】
また、記録紙には、カードＣの縁部の影による黒スジのある画像が形成され、原本性の高いコピーが実現できる。
【００６２】
なお、第二読取ユニット６９を用いて画像読み取りを行う場合も、第二読取ユニット６９を用いて画像読み取りを行う場合と同様に処理される。
【００６３】
本実施形態１では、モードとして、「カードコピーモード」と「普通紙コピーモード」を用意し、「カードコピーモード」が選択されると、原稿の領域とその外方領域とを含む画像データを取得し、「普通紙コピーモード」が選択されると、原稿の外方領域を含まない領域の画像データ（原稿の縁部から５ｍｍ程度内側のエリアの画像データ）を取得するが、モードはこれに限られない。
【００６４】
例えば、第一モードとして「余白取得モード」を用意し、第二モードとして「余白未取得モード」を用意してもよい。「余白取得モード」は、上述した「カードコピーモード」と同様の読取動作を行い、「余白未取得モード」は、上述した「普通紙コピーモード」と同様の読取動作を行う。ただし、「カードコピーモード」は、原稿サイズが所定のサイズ（上述したカードＣのサイズ程度）以下である場合のみに選択可能とする一方、「余白取得モード」は、原稿サイズが所定のサイズ（上述したカードＣのサイズ程度）を超える場合に選択可能とする。
【００６５】
具体的には、例えば、「カードコピーモード」又は「普通紙コピーモード」は、挿入口５ｂに原稿がセットされた場合に選択され、「余白取得モード」又は「余白未取得モード」は、手差しトレイ５ａ又は原稿トレイ５１に原稿がセットされた場合に選択される。あるいは、「カードコピーモード」又は「普通紙コピーモード」は、手差しトレイ５ａ又は挿入口５ｂに原稿がセットされた場合（ストレート搬送通路６１を使って搬送する場合）に選択され、「余白取得モード」又は「余白未取得モード」は、原稿トレイ５１に原稿がセットされた場合（ターン搬送通路６２を使って搬送する場合）に選択される。
【００６６】
また、例えば、第一モードとして「小サイズ原稿読取モード」を用意し、第二モードとして「大サイズ原稿読取モード」を用意してもよい。「小サイズ原稿読取モード」は、上述した「カードコピーモード」と同様の読取動作を行い、「大サイズ原稿読取モード」は、上述した「普通紙コピーモード」と同様の読取動作を行う。ただし、「カードコピーモード」は、例えば、挿入口５ｂに原稿がセットされた場合に選択され、「小サイズ原稿読取モード」は、手差しトレイ５ａ又は原稿トレイ５１に原稿がセットされた場合に選択される。
【００６７】
また、例えば、第一モードとして「厚紙読取モード」を用意し、第二モードとして「普通紙読取モード」を用意してもよい。「厚紙読取モード」は、上述した「カードコピーモード」と同様の読取動作を行い、「普通紙読取モード」は、上述した「普通紙コピーモード」と同様の読取動作を行う。ただし、「カードコピーモード」は、例えば、挿入口５ｂに原稿がセットされた場合に選択され、「厚紙読取モード」は、手差しトレイ５ａに原稿がセットされた場合に選択される。
【００６８】
また、本実施形態１において、操作パネル２００に表示されるモード選択画面には、第一モードである「カードコピーモード」を選択するボタンと第二モードである「普通紙コピーモード」を選択するボタンとを表示し、いずれかのボタンをユーザーが操作することでモードを選択するが、選択方法はこれに限られない。例えば、モード選択画面に、第一モードである「カードコピーモード」のオン／オフを切り替えるボタンを表示し、そのボタンをユーザーが操作して、「カードコピーモード」をオンにすれば「カードコピーモード」が選択され、「カードコピーモード」をオフにすれば「普通紙コピーモード」が選択されるようにしてもよい。
【００６９】
なお、本実施形態１において、各モードの名称は任意であり、例えば、上述した「カードコピーモード」について、「カードモード」、「カード読取モード」、「カードスキャンモード」、「硬質原稿モード」などの他の名称を用いてもよい。
【００７０】
〔実施形態２〕
以下、本発明の他の実施形態（以下、本実施形態を「実施形態２」という。）について説明する。
上述した実施形態１では、カードＣをカードコピーモードでコピーする場合、ユーザーが操作パネル２００を操作してカードコピーモードを選択するという作業が必要となる。本実施形態２では、このようなユーザーの作業を不要とするため、原稿（原稿）の種類を判別し、その判別結果に応じてカードコピーモードが選択されるようにしたものである。
なお、本実施形態２における複写機１の基本的な構成や動作は、上述した実施形態１と同様であるため、以下では上述した実施形態１とは異なる構成や動作を中心に説明する。
【００７１】
図１０は、本実施形態２における読取装置６の模式図である。
図１１は、本実施形態２における制御系の主要部を示すブロック図である。
本実施形態２では、カードコピーモードを選択することが好ましい原稿の種類（カードＣ）を判別するために、判別手段としての原稿厚みセンサ１０４を設けている。プラスチック製の小サイズのカードＣの厚みは、国際規格で０．７６ｍｍに定められ、国際規格に合致していないが一般に普及しているプラスチック製のカードＣの厚みは、薄いものでも０．４ｍｍ程度である。また、カードコピーモードを選択することが好ましい小サイズのカードＣとしては、名刺も挙げられるが、一般に名刺は０．３ｍｍ程度の厚みをもつ。一方で、普通紙（コピー紙）などの一般的な原稿シートＳの厚みは、およそ０．１ｍｍ程度あり、比較的厚い１１０Ｋ紙であっても０．１６ｍｍ程度である。したがって、カードコピーモードを選択することが好ましいカードＣと、普通紙コピーモードを選択することが好ましい原稿シートＳとの違いは、厚みの違いによって判別することができる。
【００７２】
本実施形態２では、原稿厚みセンサ１０４を、読取入口センサ１０２よりも搬送方向下流側であって、第一読取ユニット４５の読取位置よりも搬送方向上流側の位置に配置されている。画像データ取得部３０１は、原稿厚みセンサ１０４によって検知された原稿の厚みが所定の閾値を超えていれば、その原稿がカードＣであると判別してカードコピーモードを選択し、所定の閾値を超えていなければ、その原稿が原稿シートＳであると判別して普通紙コピーモードを選択する。
【００７３】
図１２（ａ）及び（ｂ）は、原稿厚みセンサ１０４の一例を示す説明図である。
図１２（ａ）及び（ｂ）に示す原稿厚みセンサ１０４は、超音波式の厚みセンサ（超音波センサ）の例である。この原稿厚みセンサ１０４は、超音波発信部１０４ａと超音波受信部１０４ｂとがストレート搬送通路６１をシート面法線方向から挟むように配置されている。超音波発信部１０４ａと超音波受信部１０４ｂとの間を薄い紙製の原稿シートＳが通過する場合、超音波発信部１０４ａから発信された超音波が原稿シートＳを透過するときの減衰が少なく、減衰率はおよそ１５％程度である。
【００７４】
一方、超音波発信部１０４ａと超音波受信部１０４ｂとの間をプラスチック製のカードＣが通過する場合、超音波発信部１０４ａから発信された超音波が原稿シートＳを透過するときの減衰率は９０％程度である。名刺が通過する場合でも、減衰率はおよそ５５％程度である。
【００７５】
以上より、減衰率の閾値を例えば３５％に設定することで、画像データ取得部３０１は、原稿厚みセンサ１０４により検知される減衰率が３５％を超えていれば、その原稿がカードＣであると判別してカードコピーモードを選択し、３５％を超えていなければ、その原稿が原稿シートＳであると判別して普通紙コピーモードを選択する。
【００７６】
図１３は、本実施形態２において、手差しトレイ５ａ又は挿入口５ｂにカードＣをセットしてコピー（複写）する場合の処理動作の流れを示すフローチャートである。
本実施形態２の処理動作では、図１３に示すように、上述した実施形態１の場合で必要であった、ユーザーがいずれかのコピーモードを選択する処理ステップＳ５が不要となる。一方で、ユーザーのコピー開始操作に応じて（Ｓ６）、各搬送ローラ対５２ｄ，５２ｅ，５２ｆの駆動を開始し（Ｓ７）、カードＣの先端が読取入口センサ１０２に到達して読取入口センサ１０２がＯＮになった後（Ｓ８のＹｅｓ）、画像データ取得部３０１は、原稿厚みセンサ１０４の検知結果（減衰率等）を取得し（Ｓ２０）、所定の閾値を超えていればカードコピーモードを選択し（Ｓ９のＹｅｓ）、所定の閾値を超えていなければ普通紙コピーモードを選択する（Ｓ９のＮｏ）。
【００７７】
本実施形態２の説明では、カードコピーモードを選択することが好ましいカードＣと、普通紙コピーモードを選択することが好ましい原稿シートＳとの違いを、原稿の厚みの違いによって判別する例であったが、他の違いによって判別することもできる。例えば、原稿の幅（幅方向長さ）の違いによって、カードコピーモードを選択することが好ましいカードＣと、普通紙コピーモードを選択することが好ましい原稿シートＳとの違いを判別することもできる。一般に、カードＣのサイズは、国際規格ＩＳＯ／ＩＥＣ  ７８１０のＩＤ−１に定められた約５４ｍｍ×８５．６ｍｍであり、また、名刺のサイズは約５５ｍｍ×９１ｍｍであり、コピー紙（普通紙）などの原稿シートＳよりも、サイズが小さい。
【００７８】
図１４は、判別手段としての原稿幅検知センサ１０５の一例を示す説明図である。なお、図１４は、ストレート搬送通路６１の一部を原稿のシート面法線方向から見たときの図である。
図１４に示す原稿幅検知センサ１０５は、ストレート搬送通路６１の原稿幅方向中央に配置される読取入口センサ１０２と同じ副走査方向位置に配置されている。原稿幅検知センサ１０５の幅方向位置は、ストレート搬送通路６１の原稿幅方向中央から、カードＣの幅の半分の長さよりも離れた位置であって、原稿シートＳの最小サイズの幅の半分の長さよりも近い位置に、配置されている。
【００７９】
このような原稿幅検知センサ１０５を用いることで、読取入口センサ１０２がＯＮである時に、原稿幅検知センサ１０５がＯＦＦであれば、その原稿がカードＣであると判別でき、原稿幅検知センサ１０５がＯＮであれば、その原稿が原稿シートＳであると判別できる。
【００８０】
また、搬送方向における原稿の長さについては、読取入口センサ１０２のＯＮ時間（読取入口センサ１０２に原稿が検知されてから原稿が検知されなくなるまでの時間。すなわち、読取入口センサ１０２を原稿先端が到達してから原稿後端が通過するまでの時間。）から特定することができる。したがって、読取入口センサ１０２のＯＮ時間の違いによって、カードコピーモードを選択することが好ましいカードＣと、普通紙コピーモードを選択することが好ましい原稿シートＳとの違いを判別することもできる。例えば、原稿の搬送方向長さが９５ｍｍに相当する時間を閾値として用い、読取入口センサ１０２のＯＮ時間がこの閾値を超えていなければ、その原稿がカードＣであると判別でき、この閾値を超えていれば、その原稿が原稿シートＳであると判別できる。
【００８１】
原稿幅検知センサ１０５を用いた原稿の幅方向長さの検知結果と、読取入口センサ１０２のＯＮ時間を用いた原稿の搬送方向長さの検知結果との両方が、カードＣの判別条件を満たす場合にカードＣであると判別してもよい。この場合、カードＣを高い判別精度で判別することができる。ただし、いずれか一方がカードＣの判別条件を満たす場合にカードＣであると判別してもよい。
【００８２】
また、本実施形態２の説明では、原稿厚みセンサ１０４、原稿幅検知センサ１０５、あるいは、読取入口センサ１０２を用いることで、カードコピーモードを選択することが好ましいカードＣと、普通紙コピーモードを選択することが好ましい原稿シートＳとの違いを判別する例であったが、このようなセンサを用いないで判別することもできる。
【００８３】
図１５は、手差しトレイ５ａを閉じた状態にしたときのカード挿入用の挿入口５ｂを示す正面図である。
手差しトレイ５ａを用いて給紙できる原稿のサイズは、カードＣのサイズのほか、一般の原稿シートＳのサイズも含まれる。一方、手差しトレイ５ａを閉じた状態で使用されるカード挿入用の挿入口５ｂは、その開口の原稿幅方向長さが、カードＣよりも大きく、かつ、原稿シートＳの最小サイズよりも小さい。したがって、挿入口５ｂには、カードＣはセットできるが、原稿シートＳはセットできない。
【００８４】
そこで、手差しトレイ５ａの開閉を検知する開閉センサを設け、手差しトレイ５ａが閉じていることを開閉センサが検知している時に、手差し原稿セットセンサ１０３がＯＮになった時には、挿入口５ｂに原稿がセットされたと判定する。この場合、挿入口５ｂにセットできる原稿はカードＣであるため、その原稿がカードＣであると判別でき、カードコピーモードを選択する。一方、手差しトレイ５ａが開いていることを開閉センサが検知している時に、手差し原稿セットセンサ１０３がＯＮになった時には、手差しトレイ５ａ上に原稿がセットされたと判定する。この場合、手差しトレイ５ａ上には原稿シートＳもセットできるので、その原稿が原稿シートＳであると判別して、普通紙コピーモードを選択する。
【００８５】
なお、手差しトレイ５ａを無くして挿入口５ｂのみを設けた構成であれば、手差し原稿セットセンサ１０３がＯＮになった時に、挿入口５ｂに原稿がセットされたと判定し、その原稿がカードＣであると判別してカードコピーモードを選択することができる。
【００８６】
〔変形例〕
次に、上述した実施形態１及び２の一変形例について説明する。
図１６は、本変形例における読取装置６の模式図である。
本変形例は、カードＣを搬送するための略直線状に延びるストレート搬送通路６３が、原稿トレイ５１から排紙トレイ５３とは別に設けられている排紙テーブル５８までの間に設けられたものである。すなわち、カードＣを読み取る場合、上述した実施形態１及び２では手差しトレイ５ａ又は挿入口５ｂにカードＣをセットするが、本変形例では、原稿トレイ５１にセットされる。
【００８７】
なお、本変形例は、上述した実施形態１及び２とはカードＣの搬送のための構成や搬送経路が異なるが、モードの選択や読取動作については上述した実施形態１や実施形態２のものを適用することができる。以下、上述した実施形態１におけるモードの選択や読取動作を適用した場合を例に挙げて説明する。
【００８８】
図１７は、本変形例において、カードＣをコピー（複写）する場合の処理動作の流れを示すフローチャートである。
カードＣを読み取る場合、図１７に示すように、ＡＤＦ５の原稿トレイ５１にカードＣがセットされ、カードＣの先端が分離ローラ５２ｂに突き当たり、原稿セットセンサ１００がＯＮになってカードＣが検知される（Ｓ３１のＹｅｓ）。画像データ取得部３０１は、原稿セットセンサ１００がＯＮになったら、上述した実施形態１と同様、モードをユーザーに選択させるモード選択画面を操作パネル２００に表示させる。そして、ユーザーは、操作パネル２００に表示されたモード選択画面に対し、いずれかのコピーモードを選択する（Ｓ３２）。
【００８９】
ユーザーは、カードコピーモードを選択した場合（Ｓ３３のＹｅｓ）、カードＣを原稿トレイ５１にセットする前又は後に、図１６に示すように排紙テーブル５８を開く。このとき、排紙テーブル５８の開閉センサがＯＮになり（Ｓ３４のＹｅｓ）、その検知結果がコントローラ３００によって実現される画像データ取得部３０１へ伝達される。これを受けた画像データ取得部３０１は、ストレート搬送通路６３におけるプルアップローラ対５２ｃの搬送方向下流側に配置された切り替え爪５９を第一位置に回動させる制御を行う（Ｓ３５）。これにより、プルアップローラ対５２ｃを通過したカードＣは、そのままストレート搬送通路６３に沿って切り替え爪５９の上方を通過し、排紙テーブル５８へと排出可能となる。
【００９０】
ユーザーがコピー開始操作を行うと（Ｓ３６）、画像データ取得部３０１は、ピックアップローラ５２ａ及び分離ローラ５２ｂを駆動させて（Ｓ３７）、原稿トレイ５１上のカードＣをストレート搬送通路６３へ搬入する。また、搬送ローラ対（プルアップローラ対５２ｃ）の駆動を開始させる（Ｓ３８）。そして、カードＣの先端が第二読取入口センサ１０７に到達すると、第二読取入口センサ１０７がＯＮになる（Ｓ３９のＹｅｓ）。画像データ取得部３０１は、第二読取入口センサ１０７がＯＮになった時点を基準にして、カードＣの搬送速度の情報から、ストレート搬送通路６１内におけるカードＣの先端位置や後端位置を特定する。
【００９１】
その後、画像データ取得部３０１は、上述した実施形態１と同様に、カードコピーモードの読取動作を行う（Ｓ４０〜Ｓ４３）。これにより、画像データ取得部３０１は、第二読取ユニット６９の読取データから、カードＣの被読取面（原稿トレイ５１上でカードＣの下側の面）の縁部から１０ｍｍ程度外側のエリアの画像データが取得される。そして、画像データ取得部３０１は、取得した画像データを画像形成部３の制御部に送り、画像形成部３において記録紙に画像形成（印刷）される（Ｓ５４）。これにより、記録紙には、カードＣとその外方領域とを含む画像が形成され、カードＣの縁部付近の情報が印刷されたコピーが実現できる。
【００９２】
なお、カードＣの両面についてカードコピーモードを実行する場合には、カードＣが第三ＤＦコンタクトガラス４２Ｃの下面を通過する際に、第三読取ユニット７０により被読取面（原稿トレイ５１上でカードＣの上側の面）の画像が読み取られる。この場合も、第二読取ユニット６９を用いた読取動作と同様の読取動作が行われる。
【００９３】
一方、ユーザーは、通常の原稿シートＳをコピーする場合、普通紙コピーモードを選択する（Ｓ３３のＮｏ）。この場合、排紙テーブル５８を閉じた状態とし（Ｓ４４）、切り替え爪５９は第二位置に回動させた状態となる（Ｓ４５）。この場合、切り替え爪５９は、ストレート搬送通路６３の進路を塞ぐように位置することになり、プルアップローラ対５２ｃを通過した原稿シートＳは、切り替え爪５９にガイドされてターン搬送通路６２へと送り込まれる（Ｓ４７，Ｓ４８）。
【００９４】
その後、原稿シートＳは、読取入口ローラ対５２ｄ、読取出口ローラ対５２ｅ及び排紙ローラ対５２ｆによってターン搬送通路６２を搬送されながら、上述した実施形態１と同様に、第一ＤＦコンタクトガラス４２Ａの上面を通過する際に、第一読取ユニット４５により被読取面（原稿トレイ５１上で原稿シートＳの上側の面）の画像が読み取られる（Ｓ４９〜Ｓ５３）。このときの原稿シートＳの読取動作の制御基準は、第一読取入口センサ１０６が原稿シートＳの先端や後端を検知したタイミングを用いる。これにより、画像データ取得部３０１は、第一読取ユニット４５の読取データから、原稿シートＳの被読取面（原稿トレイ５１上で原稿シートＳの上側の面）の縁部から５ｍｍ程度内側のエリアの画像データを取得することができる。そして、画像データ取得部３０１は、取得した画像データを画像形成部３の制御部に送り、画像形成部３において記録紙に画像形成（印刷）される（Ｓ５４）。これにより、記録紙には、原稿シートＳの縁部の影による黒スジの無い画像が形成され、高品質なコピーが実現できる。
【００９５】
なお、通常の原稿シートＳを両面コピーする場合には、第二ＤＦコンタクトガラス４２Ｂの上面を通過する際に、第二読取ユニット６９により被読取面（原稿トレイ５１上で原稿シートＳの下側の面）の画像が読み取られる。このときの原稿シートＳの読取動作の制御基準は、第二読取入口センサ１０７が原稿シートＳの先端や後端を検知したタイミングを用いる。
【００９６】
本変形例において、第一読取ユニット４５には、ＣＣＤ（Charge-Coupled Device）等の固体撮像素子を用いた画像センサを用い、第二読取ユニット６９及び第三読取ユニット７０には、密着イメージセンサ（ＣＩＳ：Contact Image Sensor）を用いている。通常の原稿シートＳの画像読み取りには第一読取ユニット４５を用いるため、第一読取ユニット４５には、読み取った画像の色再現性が高く、原稿全体にわたってピントが合いやすい固体撮像素子を用いた画像センサが好ましい。
【００９７】
以上に説明したものは一例であり、次の態様毎に特有の効果を奏する。
（態様Ａ）
各種ローラ５２ａ，５２ｂ，５２ｃ，５２ｄ，５２ｅ，５２ｆ、駆動モータ５７等の搬送手段によって搬送される原稿シートＳ又はカードＣ等の原稿を読み取る読取ユニット４５，６９，７０等の読取手段と、前記読取手段で読み取った原稿の画像データを取得する画像データ取得部３０１等の画像データ取得手段とを有する読取装置６において、前記画像データ取得手段は、前記原稿の領域と該原稿の領域以外の外方領域とを含む画像データを取得するカードコピーモード等の第一モードと、前記外方領域を含まない領域の画像データを取得する普通紙コピーモード等の第二モードとを含む複数のモードの中から、所定の選択条件に従って選択されるモードで、画像データを取得することを特徴とする。
本態様によれば、所定の選択条件に従って第一モードが選択されると、原稿の領域とその外方領域とを含む画像データを取得でき、所定の選択条件に従って第二モードが選択されると、原稿の外方領域を含まない領域の画像データを取得できる。したがって、原稿の領域とその外方領域とを含む画像データを得たいというユーザーと、外方領域を含まない領域の画像データを得たいというユーザーのいずれの要望も満たすことが可能となる。
【００９８】
（態様Ｂ）
前記態様Ａにおいて、モードを選択する操作パネル２００等の選択手段を有し、前記画像データ取得手段は、前記第一モードと前記第二モードのうち、前記選択手段によりユーザーが選択したモードで画像データを取得することを特徴とする。
これによれば、選択手段に対するユーザーの指示操作に応じてモードが選択されるので、ユーザーの要望を適切に反映させたモードで画像読み取りを行うことができる。
【００９９】
（態様Ｃ）
前記態様Ｂにおいて、前記第一モードはカードの原稿を読取るためのカード読取モードであることを特徴とする。
これによれば、カードの原稿を読み取るための「カード読取モード」を選択手段によりユーザが選択したとき、原稿の領域と原稿の余白領域（外方領域）とを含む画像データが取得される。これにより、カード原稿を読み取る際にその端部まで確実にデータを取得したいというユーザーのニーズに応えることができる。また、「カード読取モード」等の文字を表示して選択手段によりユーザーがこのモードを選択可能とすることで、ユーザーはカードの原稿を読み取るためのモードを直感的に選択することができる。これにより、モード選択の操作性に優れた装置を提供することができる。
【０１００】
（態様Ｄ）
前記態様Ｂにおいて、前記第一モードは原稿及び原稿の余白部分を読み取るための余白取得モードであることを特徴とする。
これによれば、原稿の領域とともに原稿の余白領域（外方領域）も読み取るための「余白取得モード」を選択手段によりユーザが選択したとき、原稿の領域と原稿の余白領域（外方領域）とを含む画像データが取得される。これにより、原稿の端部まで確実にデータを取得したいというユーザーのニーズに応えることができる。また、「余白取得モード」等の文字を表示して選択手段によりユーザーがこのモードを選択可能とすることで、ユーザーは原稿の領域とともに原稿の余白領域（外方領域）も読み取るためのモードを直感的に選択することができる。これにより、モード選択の操作性に優れた装置を提供することができる。
【０１０１】
（態様Ｅ）
前記態様Ｂにおいて、前記第一モードは所定の厚さ以上の原稿を読み取るための厚紙読取モードであることを特徴とする。
これによれば、所定の厚さ以上の原稿を読み取るための「厚紙読取モード」を選択手段によりユーザが選択したとき、原稿の領域と原稿の余白領域（外方領域）とを含む画像データが取得される。これにより、所定の厚さ以上の原稿を読み取る際にその端部まで確実にデータを取得したいというユーザーのニーズに応えることができる。また、「厚紙読取モード」等の文字を表示して選択手段によりユーザーがこのモードを選択可能とすることで、ユーザーは所定の厚さ以上の原稿を読み取るためのモードを直感的に選択することができる。これにより、モード選択の操作性に優れた装置を提供することができる。
【０１０２】
（態様Ｆ）
前記態様Ｂにおいて、前記第一モードは所定のサイズ以下の原稿を読取るための小サイズ原稿読取モードであることを特徴とする。
これによれば、所定のサイズ以下の原稿を読み取るための「小サイズ原稿読取モード」を選択手段によりユーザが選択したとき、原稿の領域と原稿の余白領域（外方領域）とを含む画像データが取得される。これにより、所定のサイズ以下の原稿を読み取る際にその端部まで確実にデータを取得したいというユーザーのニーズに応えることができる。また、「小サイズ原稿読取モード」等の文字を表示して選択手段によりユーザーがこのモードを選択可能とすることで、ユーザーは所定のサイズ以下の原稿を読み取るためのモードを直感的に選択することができる。これにより、モード選択の操作性に優れた装置を提供することができる。
【０１０３】
（態様Ｇ）
前記態様Ａにおいて、原稿の種類を判別する原稿厚みセンサ１０４や原稿幅検知センサ１０５等の判別手段を有し、前記画像データ取得手段は、前記第一モードと前記第二モードのうち、前記判別手段の判別結果に対応したモードで画像データを取得することを特徴とする。
これによれば、モードの選択に際してユーザーの指示操作を不要とし、ユーザーの手間を軽減することができる。
【０１０４】
（態様Ｈ）
前記態様Ｇにおいて、前記判別手段は、原稿の厚みを検知する原稿厚みセンサ１０４等の厚み検知手段であり、前記画像データ取得手段は、前記厚み検知手段が厚みを検知した原稿が所定厚さ以上であるときに前記第一モードで画像データを取得することを特徴とする。
所定厚さ以上の原稿は、一般に、狭い原稿面内により多くの情報が収まるようにほぼ余白無く原稿の縁部付近まで情報が記載されているケースが多い。本態様によれば、このような所定厚さ以上の原稿について、ユーザーの手間を省きつつ、縁部付近の情報も欠落していない画像データを取得することができる。
【０１０５】
（態様Ｉ）
前記態様Ｇにおいて、前記判別手段は、原稿のサイズを検知する原稿幅検知センサ１０５等のサイズ検知手段であり、前記画像データ取得手段は、前記サイズ検知手段がサイズを検知した原稿が所定サイズ以下であるときに前記第一モードで画像データを取得することを特徴とする。
これによれば、狭い原稿面内により多くの情報が収まるようにほぼ余白無く原稿の縁部付近まで情報が記載されているケースが多い所定サイズ以下の原稿について、ユーザーの手間を省きつつ、縁部付近の情報も欠落していない画像データを取得することができる。
【０１０６】
（態様Ｊ）
前記態様Ｉにおいて、前記搬送手段によって搬送される原稿のうち前記所定サイズを超える原稿のセットが規制された挿入口５ｂ等の第一セット部と、前記所定サイズを超える原稿をセット可能な原稿トレイ５１等の第二セット部とを有し、前記サイズ検知手段は、前記搬送手段によって搬送される原稿が前記第一セット部にセットされたものであるときには該原稿のサイズが前記所定サイズ以下であると検知し、前記搬送手段によって搬送される原稿が前記第二セット部にセットされたものであるときには該原稿のサイズが前記所定サイズを超えていると検知することを特徴とする。
これによれば、簡易な構成で、所定サイズ以下の原稿を検知することができる。
【０１０７】
（態様Ｋ）
前記態様Ａ〜Ｊのいずれかの態様において、前記読取手段の読取位置から排出口５６等の所定の排出部までの原稿の搬送通路部分（ストレート搬送通路６１の搬送方向下流側部分）は、略直線状に延びており、前記読取位置から搬送方向上流側へ前記搬送通路部分を直線状に延ばした搬送通路部分（ストレート搬送通路６１の搬送方向上流側部分）の先に、原稿がセットされる手差しトレイ５ａ、挿入口５ｂ等のセット部が設けられていることを特徴とする。
これによれば、上述した実施形態１や２のように、湾曲させて搬送することが困難な剛性の高いカードＣ等の原稿を湾曲させることなく、セット部から読取手段の読取位置を経由して所定の排出部へと搬送することができる。
【０１０８】
（態様Ｌ）
前記態様Ａ〜Ｊのいずれかの態様において、原稿トレイ５１等の所定のセット部から前記読取手段の読取位置までの原稿の搬送通路部分（ストレート搬送通路６３の搬送方向上流側部分）は、略直線状に延びており、前記読取位置から搬送方向下流側へ前記搬送通路部分を直線状に延ばした搬送通路部分（ストレート搬送通路６３の搬送方向下流側部分）の先に、排紙テーブル５８等の原稿の排出部が設けられていることを特徴とする。
これによれば、上述した変形例のように、湾曲させて搬送することが困難な剛性の高いカードＣ等の原稿を湾曲させることなく、セット部から読取手段の読取位置を経由して所定の排出部へと搬送することができる。
【０１０９】
（態様Ｍ）
前記態様Ａ〜Ｌのいずれかの態様において、前記画像データ取得手段は、前記第二モードにおいて、前記原稿の領域と前記外方領域との境界よりも所定距離だけ内側の領域の画像データを取得することを特徴とする。
これによれば、原稿の縁部の影による黒スジが原稿の画像周囲に存在しない画像データを得ることができる。
【０１１０】
（態様Ｎ）
原稿シートＳやカード等の原稿を読み取る読取装置６と、前記読取装置で読み取った原稿の画像データに基づいて画像を形成する画像形成部３とを有する複写機１等の画像形成装置において、前記読取装置として、前記態様Ａ〜Ｍのいずれかの態様に係る読取装置を用いることを特徴とする。
これによれば、原稿の領域とその外方領域とを含む画像を印刷したいというユーザーと、外方領域を含まない領域の画像を印刷したいというユーザーのいずれの要望も満たすことが可能となる。
【符号の説明】
【０１１１】
１  複写機
３  画像形成部
４  画像読取部
５  ＡＤＦ
５ａ  手差しトレイ
５ｂ  挿入口
６  読取装置
４１  フラットベッドコンタクトガラス
４２Ａ，４２Ｂ，４２Ｃ  ＤＦコンタクトガラス
４５  第一読取ユニット
５１  原稿トレイ
５２  原稿搬送通路
５２ａ  ピックアップローラ
５２ｂ  分離ローラ
５２ｃ  プルアップローラ対
５２ｄ  読取入口ローラ対
５２ｅ  読取出口ローラ対
５２ｆ  排紙ローラ対
５３  排紙トレイ
５５  カバー
５５ａ  給紙口
５６  排出口
５７  駆動モータ
５８  排紙テーブル
５９  切り替え爪
６１，６３  ストレート搬送通路
６２  ターン搬送通路
６９  第二読取ユニット
７０  第三読取ユニット
１００  原稿セットセンサ
１０１  フィード後センサ
１０２  読取入口センサ
１０３  手差し原稿セットセンサ
１０４  原稿厚みセンサ
１０５  原稿幅検知センサ
１０６  第一読取入口センサ
１０７  第二読取入口センサ
２００  操作パネル
２０１  スタートボタン
３００  コントローラ
３０１  画像データ取得部
Ｃ  カード
Ｓ  原稿シート
【先行技術文献】
【特許文献】
【０１１２】
【特許文献１】特開２０１０−１４１５０９号公報
【図１】
2019033413.tif 000003
【図２】
2019033413.tif 000004
【図３】
2019033413.tif 000005
【図４】
2019033413.tif 000006
【図５】
2019033413.tif 000007
【図６】
2019033413.tif 000008
【図７】
2019033413.tif 000009
【図８】
2019033413.tif 000010
【図９】
2019033413.tif 000011
【図１０】
2019033413.tif 000012
【図１１】
2019033413.tif 000013
【図１２】
2019033413.tif 000014
【図１３】
2019033413.tif 000015
【図１４】
2019033413.tif 000016
【図１５】
2019033413.tif 000017
【図１６】
2019033413.tif 000018
【図１７】
2019033413.tif 000019